(57)【特許請求の範囲】
【請求項１】
壁と天井との間に位置する天井端部固定具であって、
建物躯体の天井の表面を形成する天井表面板における壁側の端部を呑み込んで天井表面板を支持するための天井板呑み込み部と、建物躯体の壁の表面を形成する壁表面板の上端部を呑み込んで壁表面板を支持するための壁呑み込み部と、天井板呑み込み部と壁呑み込み部の間に位置して天井表面板を境とする上下空間の空気を流通させるための換気部とを備えた断面アングル形に形成され、
前記天井板呑み込み部は、天井表面板における壁側の下面を支持する下面支持部と、天井表面板の壁側の端面を当接させる端面当接部と、この天井端部固定具を建物躯体側に固定するための躯体固定部とからなり、
前記壁呑み込み部は、壁表面板の上部における反壁側の面を支持する表面支持部と、壁表面板の上端面を当接させる上端面当接部と、この天井端部固定具を建物躯体側に固定するための躯体固定部とからなり、
前記換気部は、天井板呑み込み部の躯体固定部から壁呑み込み部の上端面当接部へと延長させたようにして形成され、この躯体固定部から上端面当接部に延長させた部分に流通穴が設けられるとともに、前記天井呑み込み部の下面支持部が壁呑み込み部方向に延長され、前記流通穴を下方から直接視認できないようにするカバー部と、このカバー部の上面における前記流通穴を構成する各貫通穴に対応する箇所に設けられ、換気部が熱せられた場合にその熱によって燃焼することなく膨張して前記各貫通穴の空気の流通を遮る膨張材とを備えたことを特徴とする天井端部固定具。
【発明の詳細な説明】
【０００１】
【発明が属する技術分野】
この発明は天井端部固定具、更に詳しくは、火災発生時に天井の換気通路を閉じることができる天井端部固定具に関する。
【０００２】
【先行技術】
本発明の従来技術の説明に当たり、本出願人は、予め日本特許情報機構（ＪＡＰＩＯ）の先行技術調査（パトリス）の利用により、以下の検索式で昭和５５年以後の特許出願、実用新案登録出願を調査し、その結果、特許出願６件、実用新案登録出願１００余件を抽出した。
【０００３】
検索式 ： Ｅ０４Ｂ５／６０Ｆ＋（軒＋軒先＋軒天）＊（防災＋火事＋火災）
そして、本出願人は前期調査結果を踏まえ、先行技術について鋭意検討した結果、関連技術として次の技術、特開平７−４２２９９号を抽出した。
この特開平７−４２２９９号は、天井の換気構造に関するもので、その特許請求の範囲に示すように、「天井板の側端縁を支持する天井板支持金具と壁との間に天井裏に通ずる換気用空気通路を設け、更に該換気用空気通路内に熱によって膨張する不燃性体積膨張材を内蔵させて構成したこと」を特徴とする。
【０００４】
図３および図４を参照させながら、更に詳しく説明する。図３は、特開平７−４２２９９号に示す天井の換気構造の実施例を示す垂直断面図である。図４は、特開平７−４２２９９号に示す天井の換気構造の実施例を示す斜視図である。
この天井の換気構造は、不燃性天井板２の側端縁を支持した天井支持金具１と、建物躯体６の外壁としての不燃性壁（サイディング材）５との間に不連続なスペーサー４を介在させることによって図４に示す換気通路７を形成し、且つ天井支持金具１の換気通路７側に面した背面に不燃性体積膨張材３を内蔵させたものである。ここで、不燃性体積膨張材３とは、オーストリアケミー・リンツ社製の「インツメックス」や、特公昭63-132968（発明の名称；耐火組成物）、特公平3-235（発明の名称；耐火被服マット）などであり、不燃性体積膨張材３付近の温度が１５０〜１７０℃で約１０倍に膨張する性質がある。
【０００５】
これによれば、火災が発生して温度が上昇し、約１５０度℃以上の熱風が換気通路７から天井裏へと浸入し始めると、不燃性体積膨張材３が膨張し、換気通路７を塞ぎ、熱風が換気通路７から天井裏へと浸入することを防ぐ。
【０００６】
【発明が解決しようとする課題】
しかし、上記した技術では、以下のような問題点があった。
まず、天井板２の端部の位置が決めにくく、寸法誤差があると固定が行いにくいという問題点がある。
また、天井板支持金具１とサイディング材５との固定は、スペーサー４を介して天井板支持金具１をサイディング材５へ固定することとしているので、サイディング材５を建物躯体６へ固定してからでないと行えないなど、施工手順に制約がある。
【０００７】
更に、換気通路７が下から見えるので、外観上好ましくない。
本発明が解決すべき課題は、火災発生時に天井の換気通路を閉じることができるという機能を損なうことなく、換気通路を下から見えなくし、天井板の固定が行いやすく、サイディング材の固定も行いやすい天井板の固定構造を提供することにある。
【０００８】
ここで、請求項１記載の発明の目的は、火災発生時に天井の換気通路を閉じることができるという機能を損なうことなく、天井板の固定が行いやすく、サイディング材の固定も行いやすい天井端部固定具を提供することである。
さらに、この請求項１記載の発明の目的は、換気通路を下から見えなくして外観品質を向上させる天井端部固定具を提供することである。
【０００９】
なお、上記の課題をすべて一度に解決する技術は、前記した先行技術調査によっては発見できなかった。
【００１０】
【課題を解決するための手段】
本発明は、上記した目的を達成するためのものである。
請求項１記載の天井端部固定具は、壁と天井との間に位置する天井端部固定具(20)であって、建物躯体(10)の天井の表面を形成する天井表面板(例えば軒天板16)における壁側の端部を呑み込んで天井表面板(16)を支持するための天井板呑み込み部(21)と、建物躯体(10)の壁の表面を形成する壁表面板(例えばサイディング材13)の上端部を呑み込んで壁表面板(13)を支持するための壁呑み込み部(22)と、天井板呑み込み部(21)と壁呑み込み部(22)の間に位置して天井表面板(16)を境とする上下空間の空気を流通させるための換気部(23)とを備えた断面アングル形に形成され、前記天井板呑み込み部(21)は、天井表面板(16)における壁側の下面を支持する下面支持部(21A)と、天井表面板(16)の壁側の端面を当接させる端面当接部(21B)と、この天井端部固定具(20)を建物躯体(10)側に固定するための躯体固定部(21C)とからなり、前記壁呑み込み部(22)は、壁表面板(13)の上部における反壁側の面を支持する表面支持部(22A)と、壁表面板(13)の上端面を当接させる上端面当接部(22B)と、この天井端部固定具(20)を建物躯体(10)側に固定するための躯体固定部(22C)とからなり、前記換気部(23)は、天井板呑み込み部(21)の躯体固定部(21C)から壁呑み込み部(22)の上端面当接部(22B)へと延長させたようにして形成され、この躯体固定部(21C)から上端面当接部(22B)に延長させた部分に流通穴(23A)が設けられるとともに、前記天井呑み込み部(21)の下面支持部(21A)が壁呑み込み部(22)方向に延長され、前記流通穴(23A)を下方から直接視認できないようにするカバー部(23B)と、このカバー部(23B)の上面における前記流通穴(23A)を構成する各貫通穴に対応する箇所に設けられ、換気部(23)が熱せられた場合にその熱によって燃焼することなく膨張して前記各貫通穴の空気の流通を遮る膨張材(24)とを備えたことを特徴とする。
【００１１】
ここで、「天井」とは、実施の形態で示す軒天のほか、室内の天井をも含む趣旨である。また、「壁」とは、室外の外壁、サイディング材のほか、実施の形態で示す室内の壁をも含む趣旨である。また、「膨張材」とは、「熱によって燃焼することなく膨張して流通穴(23A)の空気の流通を遮る」という機能をなす従来からの材質のものが用いられる。
【００１２】
請求項１記載の天井端部固定具の作用について説明する。
壁表面板(13)を建物躯体(10)の壁に固定する際には、その上端を天井端部固定具(20)の壁呑み込み部(22)へ呑み込ませて支持させてから固定作業をすればよく、その作業が楽になる。また、天井表面板(16)を建物躯体(10)に固定する際には、その壁側の端部を天井端部固定具(20)の天井板呑み込み部(21)へ呑み込ませて支持させてから固定作業をすればよく、その作業が楽になる。
【００１３】
組み立て終えた場合には、天井端部固定具(20)の換気部(23)に備えられた流通穴(23A)が、天井の上下空間の空気を流通させる。火災などによって換気部(23)が熱せられた場合には、流通穴(23A)を構成する各貫通穴に対応する箇所に設けられた膨張材(24)がその熱によって燃焼することなく膨張し、流通穴(23A)の各貫通穴の空気の流通を遮る。したがって、天井裏へ火が回るのを遅らせることができる。
【００１４】
【００１５】
さらに、天井端部固定具(20)の換気部(23)に備えられたカバー部(23B)が、流通穴(23A)を構成する貫通穴を下方から直接視認できないようにしているので、それによって外観品質が向上する。
【００１６】
【発明の実施の形態】
以下、本発明を実施の形態及び図面に基づいて、更に詳しく説明する。
ここで使用する図面は、図１乃至図２である。図１は、本発明の一の実施の形態における通常の状態を示す垂直断面図である。図２は、本発明の一の実施の形態における火災が発生した状態を示す垂直断面図である。
【００１７】
まず、実施の形態の構成について、図１を参照させながら説明する。
この実施の形態の天井端部固定具２０は、建物外壁と軒天との間に位置するアルミニウム合金の押出成形品であって、建物躯体１０の軒天の表面を形成する軒天板１６における壁側の端部を呑み込んで軒天板１６を支持するための天井板呑み込み部２１と、建物躯体１０の壁の表面を形成するサイディング材１３の上端部を呑み込んでサイディング材１３を支持するための壁呑み込み部２２と、天井板呑み込み部２１および壁呑み込み部２２の間に位置して軒天板１６を境とする上下空間の空気を流通させるための換気部２３とを備え、図１における紙面垂直方向に長手方向をなす部材である。
【００１８】
この実施の形態における建物躯体１０は、壁パネル１１を用いて形成されており、軒天板１６は野縁１５を介して壁パネル１１へ固定され、サイディング材１３はスペーサーたる胴縁１２を介して壁パネル１１へ固定されている。
天井端部固定具２０の天井板呑み込み部２１は、軒天板１６における壁側の下面を支持する下面支持部２１Ａと、軒天板１６の壁側の端面を当接させる端面当接部２１Ｂと、天井端部固定具２０を野縁１５へ固定するための躯体固定部２１Ｃとによって垂直断面形状を略コ字形としている。端面当接部２１Ｂには、軒天板１６の壁側の端面が必ず当接するものではなく、寸法誤差が生じた場合に当接することがある。
【００１９】
天井端部固定具２０の壁呑み込み部２２は、サイディング材１３の上部における反壁パネル１１側の面を支持する表面支持部２２Ａと、サイディング材１３の上端面を当接させる上端面当接部２２Ｂと、天井端部固定具２０を壁パネル１１へ固定するための躯体固定部２２Ｃとによって垂直断面形状を逆さＵ字形としている。上端面当接部２２Ｂもまた、サイディング材１３の上端面が必ず当接するものではなく、寸法誤差が生じた場合に当接することがある。
【００２０】
天井端部固定具２０の換気部２３は、天井板呑み込み部２１の躯体固定部２２Ｃから壁呑み込み部２２の上端面当接部２２Ｂへと延長させたようにして形成され、長手方向（図面中の紙面垂直方向）に不連続な貫通穴を備えている。この貫通穴が天井の上下空間の空気を流通させるための流通穴２３Ａである。この流通穴２３Ａを下方から直接視認できないようにするためのカバー部２３Ｂが、天井板呑み込み部２１の下面支持部２１Ａを延長するようにして形成されている。さらに、この下面支持部２１Ａの上面における流通穴２３Ａに対応する箇所には、換気部２３が熱せられた場合にその熱によって燃焼することなく膨張して流通穴２３Ａの空気の流通を遮る膨張材２４を備えている。
【００２１】
次に、上記した実施の形態の作用および効果について、図１および図２を参照させながら説明する。
サイディング材１３を建物躯体１０の壁パネル１１に固定する際には、その上端を天井端部固定具２０の壁呑み込み部２２へ呑み込ませて支持させてからスペーサー１２を介して固定作業をすればよい。すなわち、サイディング材１３の反壁パネル１１側の面の上部が表面支持部２２Ａに当接させながら固定作業を行えばよいので、その作業が楽になる。また、サイディング材１３の上端面が上端面当接部２２Ｂに当接しなくても、サイディング材１３の納まりとしては、その反壁パネル１１側の面の上部が表面支持部２２Ａに当接すればよいので、高さ方向の誤差を吸収できる。
【００２２】
また、軒天板１６を建物躯体１０の野縁１５に固定する際には、その壁側の端部を天井端部固定具２０の天井板呑み込み部２１へ呑み込ませて支持させてから固定作業をすればよい。すなわち、軒天板１６の壁パネル１１側の下面が下面支持部２１Ａに支持されるように固定作業を行えばよいので、その作業が楽になる。また、軒天材１６の壁パネル１１側の端面が端面当接部２１Ｂに当接しなくても、軒天材１６の納まりとしては、その壁パネル１１側の下面が下面支持部２１Ａに支持されていればよいので、水平方向の誤差を吸収できる。
【００２３】
なお、天井端部固定具２０の換気部２３に備えられたカバー部２３Ｂが、流通穴２３Ａを下方から直接視認できないようにしているので、それによって外観品質が向上する。組み立て終えた場合には、天井端部固定具２０の換気部２３に備えられた流通穴２３Ａが、天井の上下空間の空気を流通させる。
【００２４】
火災などによって換気部２３が熱せられた場合には、図２に示すように、膨張材２４がその熱によって燃焼することなく膨張し、流通穴２３Ａの空気の流通を遮る。したがって、天井裏へ火が回るのを遅らせることができる。
次に、上記した実施の形態のバリエーションについて説明する。
上記実施の形態にあっては天井端部固定具２０は軒天の固定構造に用いるとして説明したが、本願発明は、室内の天井にも用いることができる。室内の天井に用いた場合、換気部２３における流通穴２３Ａを構成する各貫通穴および膨張材２４が存在しない部分に間接照明の器具を配置することもできる。
【００２５】
【発明の効果】
請求項１記載の発明によれば、火災発生時に天井の換気通路を閉じることができるという機能を損なうことなく、天井板の固定が行いやすく、サイディング材の固定も行いやすい天井端部固定具を提供することができた。
さらに、この請求項１記載の発明によれば、換気通路を下から見えなくして外観品質を向上させる天井端部固定具を提供することができた。
【図面の簡単な説明】
【図１】  本発明の一の実施の形態における通常の状態を示す垂直断面図である。
【図２】  本発明の一の実施の形態における火災が発生した状態を示す垂直断面図である。
【図３】  特開平７−４２２９９号に示す天井の換気構造の実施例を示す垂直断面図である。
【図４】  特開平７−４２２９９号に示す天井の換気構造の実施例を示す斜視図である。
【符号の説明】
１…天井支持金具、２…不燃性天井板、３…不燃性体積膨張材、４…スペーサー、５…不燃性壁、６…建物躯体、７…換気通路、１０…建物躯体、１１…壁パネル、１２…胴縁、１３…壁表面板（サイディング材）、１５…野縁、１６…天井表面板（軒天板）、２０…天井端部固定具、２１…天井板呑み込み部、２１Ａ…下面支持部、２１Ｂ…端面当接部、２１Ｃ…躯体固定部、２２…壁呑み込み部、２２Ａ…表面支持部、２２Ｂ…上端面当接部、２２Ｃ…躯体固定部、２３…換気部、２３Ａ…流通穴（貫通穴による）、２３Ｂ…カバー部、２４…膨張材。
【図１】
0003722521.tif 000002
【図２】
0003722521.tif 000003
【図３】
0003722521.tif 000004
【図４】
0003722521.tif 000005